(57)【特許請求の範囲】
【請求項１】
チャンバの内部に、坩堝と種結晶を備える単結晶製造装置であって、
前記坩堝と前記種結晶の両方に、回転軸が連結されており、
前記回転軸の外周に、ベアリングを介して支持部材が設置されており、
前記回転軸及び前記支持部材のいずれも、冷却水流路を有しており、かつ
前記回転軸の支持部材は、ハウジングアウタとハウジングインナとを備え、前記ハウジングインナの外周には螺旋状の溝が設けられており、前記溝と前記ハウジングアウタとで冷却水流路が形成されている、
単結晶製造装置。
【発明の詳細な説明】
【技術分野】
【０００１】
本発明は、単結晶製造装置、特に、溶液法によるＳｉＣ単結晶製造装置に関する。
【背景技術】
【０００２】
単結晶を製造する方法として、チャンバ内に設置された坩堝内の原料溶液に、種結晶を浸漬させて引き上げる方法がある。
【０００３】
ＳｉＣ（シリコンカーバイド）単結晶の製造方法として、溶液法がある。溶液法においては、チャンバー内に設けられた黒鉛坩堝に原料Ｓｉ（シリコン）を装入し、加熱コイルで原料を溶融し、Ｓｉ溶液とする。このＳｉ溶液に黒鉛坩堝からＣを溶解させてＳｉ−Ｃ溶液とし、このＳｉ−Ｃ溶液に種結晶を浸漬して引き上げ、単結晶を製造する。その際、種結晶と坩堝の少なくとも一方を回転する。
【０００４】
特許文献１には、チョクラルスキー法により、チャンバ内で坩堝を回転しつつ、Ｓｉ単結晶を製造する装置及び方法が開示されている。特許文献１に開示される装置及び方法においては、坩堝に連結された回転軸に放熱用フィンが設置され、その放熱フィンに冷却ガスが吹き付けられる。
【先行技術文献】
【特許文献】
【０００５】
【特許文献１】特開平８−９１９８１号公報
【発明の概要】
【発明が解決しようとする課題】
【０００６】
回転軸には熱に弱いベアリング等が設置されている。Ｓｉ単結晶を製造する場合は、シリコンカーバイドと比べて融点が低いため、ベアリング等が受ける熱の量は、それほど多くない。したがって、回転軸に設置された放熱フィンが、冷却ガスによって冷却される程度で足りる場合も多い。
【０００７】
また、回転軸に放熱フィンが設置されると、チャンバサイズが大きくなり、ひいては、単結晶製造装置が大型化する。
【０００８】
一方、ＳｉＣ単結晶を製造する場合には、Ｓｉ溶液内に黒鉛坩堝のＣを溶解させたＳｉ−Ｃとするため、Ｓｉ溶液の温度を非常に高くする必要があり、ベアリング等が受ける熱の量は非常に多い。したがって、回転軸が冷却ガスによって冷却される程度では、冷却能力が不足する。特に、単結晶製造装置を小型化すると、ベアリング等が加熱コイルや原料溶液の熱源に近づき、冷却不足が深刻となる。
【０００９】
本発明は、上記課題を解決する単結晶製造装置を提供することを目的とする。
【課題を解決するための手段】
【００１０】
本発明の要旨は、次のとおりである。
〈１〉チャンバの内部に、坩堝と種結晶を備える単結晶製造装置であって、前記坩堝と前記種結晶の少なくとも一方に、回転軸が連結されており、前記回転軸の外周に、ベアリングを介して支持部材が設置されており、前記回転軸及び前記支持部材のいずれも、冷却水流路を有している、単結晶製造装置。
【発明の効果】
【００１１】
本発明によれば、ベアリング等が内径側と外径側の両方から充分に冷却されるため、回転軸を短くしてベアリング等が熱源に近くなっても、冷却能力が不足することがなく、単結晶製造装置を小型化することができる。
【図面の簡単な説明】
【００１２】
【図１】本発明に係る単結晶製造装置の実施形態の概略を示す図である。
【図２】本発明に係る単結晶製造装置の別の実施形態の概略を示す図である。
【発明を実施するための形態】
【００１３】
以下、本発明に係る単結晶製造装置の実施形態を、図面を用いて説明する。なお、以下に示す実施形態は、本発明を限定するものではない。例えば、上述したように、本発明は、坩堝内の溶液の温度が非常に高温となるＳｉＣ単結晶の製造装置として用いて特に好適であるが、坩堝内の溶液の温度がそれほど高温とならないＳｉ単結晶の製造装置として用いても当然よい。
【００１４】
図１は、本発明に係る単結晶製造装置の実施形態の概略を示す図である。
【００１５】
（本発明の単結晶製造装置の全体構造）
本発明の単結晶製造装置１００は、坩堝１と、種結晶２と、加熱コイル３が、チャンバ４の内部に格納されている。
【００１６】
チャンバ４には、真空ポンプ５が連結される。また、チャンバ４には真空計６が連結される。チャンバ４の内部は、微少な酸素も混入しないよう、真空ポンプ５で排気した後、不活性ガス供給源（図示せず）から、ヘリウム等の不活性ガスを導入し、チャンバ４の内部を正圧とする。この状態で、加熱コイル３により原料を加熱、溶融して、原料溶液７とする。この原料溶液７に種結晶２を浸漬し、引き上げ機構（図示せず）により種結晶２を引き上げる。
【００１７】
種結晶２は、種結晶回転軸１０と連結され、坩堝１は、坩堝回転軸５０と連結される。
【００１８】
種結晶回転軸１０には、種結晶回転軸１０を回転させる機構（図示せず）が連結される。坩堝回転軸５０には、坩堝回転軸５０を回転させる機構（図示せず）が連結される。
【００１９】
種結晶回転軸１０の外周には、ベアリング２１ａ、２１ｂを介して支持部材２０が設置される。坩堝回転軸５０の外周には、ベアリング６１ａ、６１ｂを介して支持部材６０が設置される。
【００２０】
（種結晶回転軸の冷却）
種結晶回転軸１０は、回転軸アウタ１１ａと回転軸インナ１１ｂを備えた二重構造である。回転軸アウタ１１ａには軸方向に溝が設けられ、その溝と回転軸インナ１１ｂとで、冷却水流路１２が形成される。冷却水流路１２の両端は、回転軸１０を構成する回転軸アウタ１１ａの外周に開口部１３ａ、１３ｂを有する。
【００２１】
種結晶回転軸１０の坩堝１と反対側の端部１４は、チャンバ４の外部へ突出する。この端部１４に、３本の環状パッキン１５ａ、１５ｂ、１５ｃが挿通される。環状パッキン１５ａ、１５ｂ、１５ｃを介して、種結晶回転軸１０を構成する回転軸アウタ１１ａの外周に、シールハウジング１６が設置される。シールハウジング１６の内周は円筒状であり、シールハウジング１６の内周が、環状パッキン１５ａ、１５ｂ、１５ｃの外周と接する。
【００２２】
３本の環状パッキン１５ａ、１５ｂ、１５ｃのうち、環状パッキン１５ａと環状パッキン１５ｂは、隣り合う２本の環状パッキンである。環状パッキン１５ｂと環状パッキン１５ｃも同様である。
【００２３】
回転軸アウタ１１ａの外周と、環状パッキン１５ａと、シールハウジング１６の内周と、環状パッキン１５ｂとで冷却水供給室１７ａを形成する。この冷却水供給室１７ａに、冷却水流路１２の一端の開口部１３ａが連通する。シールハウジング１６に、冷却水導入口１８ａが設置され、この冷却水導入口１８ａは、冷却水供給室１７ａに連通する。
【００２４】
回転軸アウタ１１ａの外周と、環状パッキン１５ｂと、シールハウジング１６の内周と、環状パッキン１５ｃとで冷却排出室１７ｂを形成する。この冷却水排出室１７ｂに、冷却水流路１２の他端の開口部１３ｂが連通する。シールハウジング１６に、冷却水排出口１８ｂが設置され、この冷却水排出口１８ｂは、冷却水排出室１７ｂに連通する。
【００２５】
このようにして形成された、冷却水供給室１７ａと冷却水排出室１７ｂにより、回転中の種結晶回転軸１０に冷却水を給排水することができる。
【００２６】
冷却水導入口１８ａから導入された冷却水は、冷却水流路１２を経て、ベアリング２１ａ、２１ｂをそれらの内周側から冷却し、冷却水排出口１８ｂから排出される。
【００２７】
回転軸アウタ１１ａと、３本の環状パッキン１５ａ、１５ｂ、１５ｃを介して設置されるシールハウジング１６とで、回転シール１９を構成する。回転シール１９は、種結晶回転軸１０の軸方向に貫通孔Ｈを有している。この貫通孔Ｈに種結晶回転軸１０が挿通されることにより、種結晶回転軸１０を回転させることができる。
【００２８】
冷却水供給室１７ａと冷却水排出室１７ｂの内部にある冷却水は、３本の環状パッキン１５ａ、１５ｂ、１５ｃによって封止されている。また、３本の環状パッキン１５ａ、１５ｂ、１５ｃは、回転中の種結晶回転軸１０を構成する回転軸アウタ１１ａと摩擦されている。したがって、回転シール１９の冷却水漏れに対する信頼性は、高いとはいえない。
【００２９】
しかし、万が一、環状パッキン１５ａ、１５ｂ、１５ｃが破損し、回転シール１９から水漏れが発生しても、回転シール１９はチャンバ４の外部に設置されているため、目視によって、すぐに水漏れを発見することができる。
【００３０】
（種結晶回転軸を支持する部材の冷却）
支持部材２０は、ハウジングアウタ２２ａとハウジングインナ２２ｂを備えた二重構造である。ハウジングインナ２２ｂの外周には螺旋状の溝が設けられ、その溝とハウジングアウタ２２ａとで冷却水流路２３が形成される。
【００３１】
ハウジングインナ２２ｂの外周には、円周状の溝が設けられ、Ｏリング２５ａ、２５ｂが格納される。このＯリング２５ａ、２５ｂは、ハウジングアウタ２２ａとハウジングインナ２２ｂとを結合させることにより、適度に変形し、冷却水流路２３からの冷却水の漏れを防止する。
【００３２】
ハウジングアウタ２２ａには、冷却水導入口２４ａと、冷却水排出口２４ｂが設置される。冷却水導入口２４ａから導入された冷却水は、冷却水流路２３を経て、ベアリング２１ａ、２１ｂをそれらの外周側から冷却し、冷却水排出口２４ｂから排出される。
【００３３】
べアリング２１ａ、２１ｂは、種結晶回転軸１０に設けられた冷却水流路１２により、ベアリング２１ａ、２１ｂの内周側から冷却されると同時に、支持部材２０に設けられた冷却水流路２３により、ベアリング２１ａ、２１ｂの外周側からも冷却される。
【００３４】
環状パッキン１５ａ、１５ｂ、１５ｃと比べると、Ｏリング２５ａ、２５ｂは、坩堝１に近いため、より多くの熱を受ける。しかし、Ｏリング２５ａ、２５ｂは、冷却水流路２３に近いため、充分に冷却されており、熱によって破損することはない。また、Ｏリング２５ａ、２５ｂは、環状パッキン１５ａ、１５ｂ、１５ｃと異なり、種結晶回転軸１０から摩擦を受けることもないため、摩耗によって破損することもない。
【００３５】
（坩堝回転軸の冷却）
坩堝回転軸５０は、回転軸アウタ５１ａと回転軸インナ５１ｂを備えた二重構造である。回転軸アウタ５１ａには軸方向に溝が設けられ、その溝と回転軸インナ５１ｂとで、冷却水流路５２が形成される。冷却水流路５２の両端は、回転軸５０を構成する回転軸アウタ５１ａの外周に開口部５３ａ、５３ｂを有する。
【００３６】
坩堝回転軸５０の坩堝１と反対側の端部５４は、チャンバ４の外部へ突出する。この端部５４に、３本の環状パッキン５５ａ、５５ｂ、５５ｃが挿通される。環状パッキン５５ａ、５５ｂ、５５ｃを介して、坩堝回転軸５０を構成する回転軸アウタ５１ａの外周に、シールハウジング５６が設置される。シールハウジング５６の内周は円筒状であり、シールハウジング５６の内周が、環状パッキン５５ａ、５５ｂ、５５ｃの外周と接する。
【００３７】
３本の環状パッキン５５ａ、５５ｂ、５５ｃのうち、環状パッキン５５ａと環状パッキン５５ｂは、隣り合う２本の環状パッキンである。環状パッキン５５ｂと環状パッキン５５ｃも同様である。
【００３８】
回転軸アウタ５１ａの外周と、環状パッキン５５ａと、シールハウジング５６の内周と、環状パッキン５５ｂとで冷却水供給室５７ａを形成する。この冷却水供給室５７ａに、冷却水流路５２の一端の開口部５３ａが連通する。シールハウジング５６に、冷却水導入口５８ａが設置され、この冷却水導入口５８ａは、冷却水供給室５７ａに連通する。
【００３９】
回転軸アウタ５１ａの外周と、環状パッキン５５ｂと、シールハウジング５６の内周と、環状パッキン５５ｃとで冷却排出室５７ｂを形成する。この冷却水排出室５７ｂに、冷却水流路５２の他端の開口部５３ｂが連通する。シールハウジング５６に、冷却水排出口５８ｂが設置され、この冷却水排出口５８ｂは、冷却水排出室５７ｂに連通する。
【００４０】
このようにして形成された、冷却水供給室５７ａと冷却水排出室５７ｂにより、回転中の坩堝回転軸５０に冷却水を給排水することができる。
【００４１】
冷却水導入口５８ａから導入された冷却水は、冷却水流路５２を経て、ベアリング６１ａ、６１ｂをそれらの内周側から冷却し、冷却水排出口５８ｂから排出される。
【００４２】
回転軸アウタ５１ａと、３本の環状パッキン５５ａ、５５ｂ、５５ｃを介して設置されるシールハウジング５６とで、回転シール５９を構成する。回転シール５９は、坩堝回転軸５０の軸方向に貫通孔Ｈを有している。この貫通孔Ｈに坩堝回転軸５０が挿通されることにより、坩堝回転軸５０を回転させることができる。
【００４３】
冷却水供給室５７ａと冷却水排出室５７ｂの内部にある冷却水は、３本の環状パッキン５５ａ、５５ｂ、５５ｃによって封止されている。また、３本の環状パッキン５５ａ、５５ｂ、５５ｃは、回転中の坩堝回転軸５０を構成する回転軸アウタ１１ａと摩擦されている。したがって、回転シール５９の冷却水漏れに対する信頼性は、高いとはいえない。
【００４４】
しかし、万が一、環状パッキン５５ａ、５５ｂ、５５ｃが破損し、回転シール５９から水漏れが発生しても、回転シール５９はチャンバ４の外部に設置されているため、目視によって、すぐに水漏れを発見することができる。
【００４５】
（坩堝回転軸を支持する部材の冷却）
支持部材６０は、ハウジングアウタ６２ａとハウジングインナ６２ｂを備えた二重構造である。ハウジングインナ６２ｂの外周には螺旋状の溝が設けられ、その溝とハウジングアウタ６２ａとで冷却水流路６３が形成される。
【００４６】
ハウジングインナ６２ｂの外周には、円周状の溝が設けられ、Ｏリング６５ａ、６５ｂが格納される。このＯリング６５ａ、６５ｂは、ハウジングアウタ６２ａとハウジングインナ６２ｂとを結合させることにより、適度に変形し、冷却水流路６３からの冷却水の漏れを防止する。
【００４７】
ハウジングアウタ６２ａには、冷却水導入口６４ａと、冷却水排出口６４ｂが設置される。冷却水導入口６４ａから導入された冷却水は、冷却水流路６３を経て、ベアリング６１ａ、６１ｂを外周側から冷却し、冷却水排出口６４ｂから排出される。
【００４８】
べアリング６１ａ、６１ｂは、坩堝回転軸５０に設けられた冷却水流路５２により、ベアリング６１ａ、６１ｂの内周側から冷却されると同時に、支持部材６０に設けられた冷却水流路６３により、ベアリング６１ａ、６１ｂの外周側からも冷却される。
【００４９】
環状パッキン５５ａ、５５ｂ、５５ｃと比べると、Ｏリング６５ａ、６５ｂは、坩堝１に近いため、より多くの熱を受ける。しかし、Ｏリング６５ａ、６５ｂは、冷却水流路６３に近いため、充分に冷却されており、熱によって破損することはない。また、Ｏリング６５ａ、６５ｂは、環状パッキン５５ａ、５５ｂ、５５ｃと異なり、坩堝回転軸５０から摩擦を受けることもないため、摩耗によって破損することもない。
【００５０】
本実施形態では、種結晶２と坩堝１の両方を回転する実施形態を示したが、種結晶２及び坩堝１のいずれかを回転してもよい。
【００５１】
また、環状パッキン１５ａ、１５ｂ、１５ｃは、３本以上であってもよい。例えば、３本の環状パッキン１５ａ、１５ｂ、１５ｃそれぞれを２重にして、冷却水導入口１７ａ、冷却水排出室１７ｂからの冷却水の漏れに対する信頼性を高めてもよい。
【００５２】
さらに、図２は、本発明に係る単結晶装置の別の実施形態の概略を示す図である。
【００５３】
ハウジングインナ２２ｂの外周に設けられた溝に格納されたＯリング２５ａ、２５ｂに代えて、ハウジングアウタ２２ａとハウジングインナ２２ｂを溶接してもよい。溶接方法は、例えば、溶接ビード２６ａ、２６ｂを図２に示したように設ける。
【００５４】
同様に、ハウジングインナ６２ｂの外周に設けられた溝に格納されたＯリング６５ａ、６５ｂに代えて、ハウジングアウタ６２ａとハウジングインナ６２ｂを溶接してもよい。溶接方法は、例えば、溶接ビード６６ａ、６６ｂを、図２に示したように設ける。
【産業上の利用可能性】
【００５５】
本発明によれば、装置の大型化を避けつつ、高品質の単結晶を、安全に製造することができる。したがって、本発明は、産業上の利用可能性が大きい。
【符号の説明】
【００５６】
１    坩堝
２    種結晶
３    加熱コイル
４    チャンバ
５    真空ポンプ
６    真空計
７    原料溶液
１０    種結晶回転軸
１１ａ、５１ａ    回転軸アウタ
１１ｂ、５１ｂ    回転軸インナ
１２、２３、５２、６３    冷却水流路
１３ａ、１３ｂ、５３ａ、５３ｂ    開口部
１４、５４    端部
１５ａ、１５ｂ、１５ｃ、５５ａ、５５ｂ、５５ｃ    環状パッキン
１６、５６    シールハウジング
１７ａ、５７ａ    冷却水供給室
１７ｂ、５７ｂ    冷却水排出室
１８ａ、２４ａ、５８ａ、６４ａ    冷却水導入口
１８ｂ、２４ｂ、５８ｂ、６４ｂ    冷却水排出口
１９、５９    回転シール
２０、６０    支持部材
２１ａ、２１ｂ、６１ａ、６１ｂ    ベアリング
２２ａ、６２ａ    ハウジングアウタ
２２ｂ、６２ｂ    ハウジングインナ
２５ａ、２５ｂ、６５ａ、６５ｂ    Ｏリング
２６ａ、２６ｂ、６６ａ、６６ｂ    溶接ビード
５０    坩堝回転軸
Ｈ    貫通孔
１００    単結晶製造装置
【図１】
0006350323.tif 000002
【図２】
0006350323.tif 000003